(57)【要約】【課題】撮影予定している複数の撮影ポイントを登録しておくだけで、現在のポイントを基準に次に撮影すべき撮影ポイントを案内できるようにする。【解決手段】ＣＰＵ１は、撮影スケジュールテーブルが登録されている状態において、ＧＰＳ通信部９から現在位置、時計部１０から現在日時を取得し、この現在位置、現在日時と撮影スケジュールテーブル内の撮影ポイント「撮影時間」、「撮影位置」とを比較することによって次に撮影すべき撮影ポイントを検索してガイダンス表示する。【選択図】  図1
2005086236.tif 000002
【特許請求の範囲】
【請求項１】
撮影者に対して撮影の補助案内を行う画像撮影装置であって、
撮影予定している複数の撮影ポイントを任意に登録する登録手段と、
現在のポイントを取得する取得手段と、
この取得手段によって取得した現在のポイントと前記登録されている各撮影ポイントとを比較することによって次に撮影すべき撮影ポイントを検索する検索手段と、
この検索手段によって検索された撮影ポイントをガイダンス出力する出力手段と、
を具備したことを特徴とする画像撮影装置。
【請求項２】
前記登録されている撮影ポイントは、撮影地点を示す情報であり、
前記取得手段は、ネットワークを介して現在の位置を取得し、
前記検索手段は、前記取得の現在位置と前記登録されている撮影地点とを比較することによって次に撮影すべき撮影ポイントを検索する、
ようにしたことを特徴とする請求項1記載の画像撮影装置。
【請求項３】
前記登録されている撮影ポイントは、撮影時点を示す情報であり、
前記取得手段は、現在の計時情報を取得し、
前記検索手段は、現在の計時情報と前記登録されている撮影時点とを比較することによって次に撮影すべき撮影ポイントを検索する、
ようにしたことを特徴とする請求項1記載の画像撮影装置。  
【請求項４】
前記検索手段は、現在のポイントに最も近い撮影ポイントを次に撮影すべき撮影ポイントとして検索する、
ようにしたことを特徴とする請求項1記載の画像撮影装置。
【請求項５】
前記登録手段は、複数の撮影ポイントの撮影順序をスケジュール情報として登録し、
前記検索手段は、前記スケジュール情報を参照し、現在のポイントに続く撮影ポイントを次に撮影すべき撮影ポイントとして検索する、
ようにしたことを特徴とする請求項１記載の画像撮影装置。
【請求項６】
前記登録手段は、複数の撮影ポイントを登録すると共に、各撮影ポイント毎にそのポイントでの撮影目標を登録し、
前記出力手段は、次に撮影すべき撮影ポイントと共に、このポイントでの撮影目標をガイダンス出力する、
ようにしたことを特徴とする請求項１記載の画像撮影装置。
【請求項７】
前記登録手段は、複数の撮影ポイントを登録すると共に、各撮影ポイント毎にそのポイントでの撮影目標を登録し、
前記出力手段は、現在の撮影ポイントでその撮影目標を達成したことが検出された後に、次に撮影すべき撮影ポイントをガイダンス出力する、
ようにしたことを特徴とする請求項1記載の画像撮影装置。
【請求項８】
前記検索手段によって次に撮影すべき撮影ポイントが検索された場合に、現在のポイントと当該次撮影ポイントとを比較することによって、現在ポイントから次撮影ポイントへ向かう際の目安を示す案内情報を取得してガイダンス出力する、
ようにしたことを特徴とする請求項1記載の画像撮影装置。
【請求項９】
撮影者に対して撮影の補助案内を行う画像撮影装置であって、
撮影予定している複数の撮影ポイントを任意に登録する登録手段と、
各撮影ポイントでの撮影状況を取得する取得手段と、
この取得手段によって得られた撮影ポイント毎の撮影状況に応じて次に撮影すべき撮影ポイントを決定する決定手段と、
この決定手段によって決定された撮影ポイントをガイダンス出力する出力手段と、
を具備したことを特徴とする画像撮影装置。
【請求項１０】
前記撮影状況は、撮影ポイントでの撮影の有無を示す情報であり、
前記決定手段は、撮影が行われていない未撮影ポイントを次に撮影すべき撮影ポイントとして決定する、
ようにしたことを特徴とする請求項９記載の画像撮影装置。
【請求項１１】
前記登録手段は、各撮影ポイントに対応してその撮影目標量を登録し、
前記撮影状況は、撮影ポイントでの撮影済み量を示す情報であり、
前記決定手段は、撮影ポイントの撮影済み量がその撮影目標量に達していないポイントを次に撮影すべき撮影ポイントとして決定する、
ようにしたことを特徴とする請求項９記載の画像撮影装置。
【請求項１２】
撮影者に対して撮影の補助案内を行う画像撮影装置であって、
撮影予定している複数の撮影ポイントを任意に登録すると共に、各撮影ポイント毎にその撮影目標を任意に登録する登録手段と、
前記登録されている各撮影ポイント毎に、その撮影状況を取得する取得手段と、
前記登録されている撮影目標に対する前記撮影状況を撮影ポイント別にガイダンス出力する出力手段と、
を具備したことを特徴とする画像撮影装置。
【請求項１３】
コンピュータに対して、
撮影予定している複数の撮影ポイントを任意に登録する機能と、
現在のポイントを取得する機能と、
取得した現在のポイントと前記登録されている各撮影ポイントとを比較することによって次に撮影すべき撮影ポイントを検索する機能と、
検索された撮影ポイントをガイダンス出力する機能と、
を実現させるためのプログラム。
【請求項１４】
コンピュータに対して、
撮影予定している複数の撮影ポイントを任意に登録する機能と、
各撮影ポイントでの撮影状況を取得する機能と、
撮影ポイント毎の撮影状況に応じて次に撮影すべき撮影ポイントを決定する機能と、
決定された撮影ポイントをガイダンス出力する機能と、
を実現させるためのプログラム。
【請求項１５】
コンピュータに対して、
撮影予定している複数の撮影ポイントを任意に登録すると共に、各撮影ポイント毎にその撮影目標を任意に登録する機能と、
前記登録されている各撮影ポイント毎に、その撮影状況を取得する機能と、
前記登録されている撮影目標に対する撮影状況を撮影ポイント別にガイダンス出力する機能と、
を実現させるためのプログラム。
【発明の詳細な説明】
【技術分野】
【０００１】
この発明は、撮影者に対して撮影の補助案内を行う画像撮影装置およびプログラムに関する。
【背景技術】
【０００２】
従来、撮影者に対して撮影の補助案内を行う画像撮影装置としては、例えば、工事現場等において、取り直しができないような撮影忘れを防止する為に、予め撮影場所、撮影目的をメモリカードに記憶しておき、撮影時にメモリカードから撮影場所、撮影目的を読み出してガイダンス表示するようにした撮影方法および撮影装置が知られている（特許文献１参照）。
また、撮影予定物の画像情報とそのメモ情報とを案内表示するようにした電子カメラが知られている（特許文献２参照）。
また、撮影予定の被写体に対応して、そのメモ情報を予め入力可能としたデジタルカメラが知られている（特許文献３参照）。
【０００３】
【特許文献１】特開２０００−１６５７８６号公報
【特許文献２】特開２００２−２０４３８４号公報
【特許文献３】特開平１０−３０４２９０号公報
【発明の開示】
【発明が解決しようとする課題】
【０００４】
しかしながら、上述した特許文献１〜３の公知技術においては、撮影時にそのガイダンス内容を確認することによって撮影場所や撮影目的を知り得たとしても、予め入力しておいた情報を読み出してガイダンス表示するというメモ機能を単に搭載しているだけにすぎず、メモ機能以上の効果を期待するまでには至らなかった。つまり、撮影者による確認を前提としているために、その確認を怠った場合や見過ごした場合には、予定通りの撮影を行うことができないおそれがあった。
【０００５】
ところで、観光旅行や行事等において、どの場所、どの時間で撮影すれば、より一層効果的であるかを分かっているような場合でも、撮影時にそのことを忘れてしまったり、勘違いによって、そのタイミング（シャッターチャンス）を逃してしまうことが多かった。
また、結婚式会場やパーティ会場等において、その撮影者は、各場面を満遍なく撮影する為に、どの場面を撮影し、どの場面を撮影していないか等を考慮しながら撮影を行うようにしているが、専門家はともかく、素人の撮影者にあっては、何回もの撮影を繰り返しているうちに、撮り忘れや偏った撮影を行うケースが多かった。
【０００６】
第１の発明の課題は、撮影予定している複数の撮影ポイントを登録しておくだけで、現在のポイントを基準に次に撮影すべき撮影ポイントを案内できるようにすることである。
第２の発明の課題は、撮影予定している複数の撮影ポイントを登録しておくだけで、現在の撮影状況を基準に次に撮影すべき撮影ポイントを案内できるようにすることである。
第３の発明の課題は、撮影予定している複数の撮影ポイントおよび撮影目標を登録しておくだけで、各撮影ポイント毎にその目標達成状況を案内できるようにすることである。
【課題を解決するための手段】
【０００７】
請求項１記載の発明（第１の発明）は、撮影者に対して撮影の補助案内を行う画像撮影装置であって、撮影予定している複数の撮影ポイントを任意に登録する登録手段と、現在のポイントを取得する取得手段と、この取得手段によって取得した現在のポイントと前記登録されている各撮影ポイントとを比較することによって次に撮影すべき撮影ポイントを検索する検索手段と、この検索手段によって検索された撮影ポイントをガイダンス出力する出力手段とを具備したことを特徴とする画像撮影装置である。
更に、コンピュータに対して、上述した請求項１記載の発明に示した主要機能を実現させるためのプログラムを提供する（請求項１３記載の発明）。
なお、撮影ポイントは、撮影予定している地点／時点または地点および時点を意味し、また、撮影ポイントの到達は、到達点（地点や時点）に限らず、到達点を中心とした所定範囲（例えば、地点の近傍あるいは時点の前後）であってもよく、また、ガイダンス出力は、表示ガイダンス／音声ガイダンスを問わない（以下、同様）。
【０００８】
なお、請求項１記載の発明は次のようなものであってもよい。
前記登録されている撮影ポイントは、撮影地点を示す情報であり、前記取得手段は、ネットワークを介して現在の位置を取得し、前記検索手段は、前記取得の現在位置と前記登録されている撮影地点とを比較することによって次に撮影すべき撮影ポイントを検索する（請求項２記載の発明）。
【０００９】
前記登録されている撮影ポイントは、撮影時点を示す情報であり、前記取得手段は、現在の計時情報を取得し、前記検索手段は、現在の計時情報と前記登録されている撮影時点とを比較することによって次に撮影すべき撮影ポイントを検索する（請求項３記載の発明）。
【００１０】
前記検索手段は、現在のポイントに最も近い撮影ポイントを次に撮影すべき撮影ポイントとして検索する（請求項４記載の発明）。
【００１１】
前記登録手段は、複数の撮影ポイントの撮影順序をスケジュール情報として登録し、前記検索手段は、前記スケジュール情報を参照し、現在のポイントに続く撮影ポイントを次に撮影すべき撮影ポイントとして検索する（請求項５記載の発明）。
【００１２】
前記登録手段は、複数の撮影ポイントを登録すると共に、各撮影ポイント毎にそのポイントでの撮影目標を登録し、前記出力手段は、次に撮影すべき撮影ポイントと共に、このポイントでの撮影目標をガイダンス出力する（請求項６記載の発明）。
【００１３】
前記登録手段は、複数の撮影ポイントを登録すると共に、各撮影ポイント毎にそのポイントでの撮影目標を登録し、前記出力手段は、現在の撮影ポイントでその撮影目標を達成したことが検出された後に、次に撮影すべき撮影ポイントをガイダンス出力する（請求項７記載の発明）。
【００１４】
前記検索手段によって次に撮影すべき撮影ポイントが検索された場合に、現在のポイントと当該次撮影ポイントとを比較することによって、現在ポイントから次撮影ポイントへ向かう際の目安を示す案内情報を取得してガイダンス出力する（請求項８記載の発明）。
【００１５】
請求項９記載の発明（第２の発明）は、撮影者に対して撮影の補助案内を行う画像撮影装置であって、撮影予定している複数の撮影ポイントを任意に登録する登録手段と、各撮影ポイントでの撮影状況を取得する取得手段と、この取得手段によって得られた撮影ポイント毎の撮影状況に応じて次に撮影すべき撮影ポイントを決定する決定手段と、この決定手段によって決定された撮影ポイントをガイダンス出力する出力手段とを具備したことを特徴とする画像撮影装置である。
更に、コンピュータに対して、上述した請求項９記載の発明に示した主要機能を実現させるためのプログラムを提供する（請求項１４記載の発明）。
【００１６】
なお、請求項９記載の発明は次のようなものであってもよい。
前記撮影状況は、撮影ポイントでの撮影の有無を示す情報であり、前記決定手段は、撮影が行われていない未撮影ポイントを次に撮影すべき撮影ポイントとして決定する（請求項１０記載の発明）。
【００１７】
前記登録手段は、各撮影ポイントに対応してその撮影目標量を登録し、前記撮影状況は、撮影ポイントでの撮影済み量を示す情報であり、前記決定手段は、各撮影ポイントの撮影済み量がその撮影目標量に達していないポイントを次に撮影すべき撮影ポイントとして決定する（請求項１１記載の発明）。
【００１８】
請求項１２記載の発明（第３の発明）は、撮影者に対して撮影の補助案内を行う画像撮影装置であって、撮影予定している複数の撮影ポイントを任意に登録すると共に、各撮影ポイント毎にその撮影目標を任意に登録する登録手段と、前記登録されている各撮影ポイント毎に、その撮影状況を取得する取得手段と、前記登録されている撮影目標に対する前記撮影状況を撮影ポイント別にガイダンス出力する出力手段とを具備したことを特徴とする画像撮影装置である。
更に、コンピュータに対して、上述した請求項１２記載の発明に示した主要機能を実現させるためのプログラムを提供する（請求項１５記載の発明）。
【発明の効果】
【００１９】
請求項１記載の発明（第１の発明）によれば、撮影予定している複数の撮影ポイントが登録されている状態において、現在のポイントを取得すると共に、この現在のポイントと登録されている各撮影ポイントとを比較することによって次に撮影すべき撮影ポイントを検索してガイダンス出力するようにしたから、撮影予定している複数の撮影ポイントを登録しておくだけで、常にタイムリーな撮影補助案内を実現することができ、各撮影ポイントでの撮影忘れを未然に防止することが可能となる。
【００２０】
請求項２記載の発明によれば、上述した請求項１記載の発明と同様の効果を有する他、ネットワークを介して取得した現在の位置と登録されている撮影地点とを比較することによって次に撮影すべき撮影ポイントを検索するようにしたから、撮影予定している位置（場所）での撮影忘れを未然に防止することができる。
【００２１】
請求項３記載の発明によれば、上述した請求項１記載の発明と同様の効果を有する他、現在の計時情報と登録されている撮影時点とを比較することによって次に撮影すべき撮影ポイントを検索するようにしたから、予定時刻や予定時間帯等での撮影忘れを未然に防止することができる。
【００２２】
請求項４記載の発明によれば、上述した請求項１記載の発明と同様の効果を有する他、現在のポイントに最も近い撮影ポイントを次に撮影すべき撮影ポイントとして検索するようにしたから、複数の撮影ポイントを無秩序に登録したとしても、距離的、時間的に最も近い次の撮影ポイントを案内することができる。
【００２３】
請求項５記載の発明によれば、上述した請求項１記載の発明と同様の効果を有する他、複数の撮影ポイントの撮影順序がスケジュール情報として登録されている状態において、このスケジュール情報を参照し、現在のポイントに続く撮影ポイントを次に撮影すべき撮影ポイントとして検索するようにしたから、予め作成した撮影計画にしたがって次に撮影すべき撮影ポイントを案内することができる。
【００２４】
請求項６記載の発明によれば、上述した請求項１記載の発明と同様の効果を有する他、各撮影ポイント毎にそのポイントでの撮影目標が登録されている状態において、次に撮影すべき撮影ポイントと共に、このポイントでの撮影目標をガイダンス出力するようにしたから、例えば、次の撮影ポイントで撮影すべき撮影量や人物等の撮影対象を事前に知ることができる。
【００２５】
請求項７記載の発明によれば、上述した請求項１記載の発明と同様の効果を有する他、各撮影ポイント毎にそのポイントでの撮影目標が登録されている状態において、現在の撮影ポイントでその撮影目標を達成したことが検出された後に、次に撮影すべき撮影ポイントをガイダンス出力するようにしたから、ガイダンスの有無に応じて現在のポイントでの目標達成状況を間接的に知ることができる。
【００２６】
請求項８記載の発明によれば、上述した請求項１記載の発明と同様の効果を有する他、次に撮影すべき撮影ポイントが検索された場合に、現在のポイントと当該次撮影ポイントとを比較することによって、現在ポイントから次撮影ポイントへ向かう際の目安を示す案内情報を取得してガイダンス出力するようにしたから、例えば、撮影ポイントが地点を示す情報であれば、次撮影ポイントへ向かう方位を案内することができ、撮影ポイントが時点を示す情報であれば、次撮影ポイントで撮影を開始するまでの残り時間を案内することができ、撮影作業をスムーズに行うことが可能となる。
【００２７】
請求項９記載の発明（第２の発明）によれば、撮影予定している複数の撮影ポイントが登録されている状態において、各撮影ポイントでの撮影状況を取得すると共に、この撮影状況に応じて次に撮影すべき撮影ポイントを決定してガイダンス出力するようにしたから、撮影予定している複数の撮影ポイントを登録しておくだけで、現在の撮影状況を基準に次に撮影すべき撮影ポイントを案内することができ、撮影ポイントでの撮影忘れを未然に防止することが可能となる。
【００２８】
請求項１０記載の発明によれば、上述した請求項９記載の発明と同様の効果を有する他、複数の撮影ポイントのうち、撮影が行われていない未撮影ポイントを次に撮影すべき撮影ポイントとして案内することができる。
【００２９】
請求項１１記載の発明によれば、上述した請求項９記載の発明と同様の効果を有する他、各撮影ポイントに対応してその撮影目標量が登録されている状態において、撮影済み量がその撮影目標量に達していないポイントを次に撮影すべき撮影ポイントとして案内することができる。
【００３０】
請求項１２記載の発明（第３の発明）によれば、撮影予定している複数の撮影ポイントが登録されていると共に、各撮影ポイント毎にその撮影目標が登録されている状態において、各撮影ポイント毎に、その撮影状況を取得すると共に、撮影目標に対する撮影状況を撮影ポイント別にガイダンス出力するようにしたから、撮影予定している複数の撮影ポイントおよび撮影目標を登録しておくだけで、各撮影ポイント毎にその目標達成状況を案内することができ、撮影ポイントでの撮影忘れを未然に防止することが可能となる。
【発明を実施するための最良の形態】
【００３１】
（実施例１）
以下、図１〜図６を参照して本発明の第１実施例を説明する。
図１は、この実施例における画像撮影装置の基本的構成要素を示したブロック図である。
この画像撮影装置は、ＣＣＤイメージセンサ等を撮像素子として使用し、被写体を撮影した撮影画像（カラー画像）を記録保存したり、移動体通信網を介して外部へ送信する携帯型のデジタルスチルカメラであるが、この種のデジタルスチルカメラを組み込んだ携帯電話等であってもよい。この画像撮影装置は、撮影予定の撮影ポイント（地点、時点）を登録しておくだけで、現在のポイントを基準に次に撮影すべき撮影ポイントをガイダンス表示するようにしている。
なお、この実施例の特徴部分を詳述する前に、この実施例のハードウェア上の構成について以下、説明しておく。
【００３２】
この画像撮影装置は、ＣＰＵ１、カメラ光学系駆動部２、操作部３、表示部４、メモリ５、内部記録部６、外部記録媒体７、通信部８、ＧＰＳ通信部９、時計部１０、ブザー１１を基本構成要素とする構成となっている。ＣＰＵ１は、オペレーティングシステムや各種アプリケーションソフトにしたがってこの画像撮影装置の全体動作を制御する中央演算処理装置である。カメラ光学系駆動部２は、撮影レンズ、ミラー等のレンズ・ミラーブロック、ＣＣＤイメージセンサ等の撮像素子、その駆動系等を備えたもので、ＣＰＵ１は、オートフォーカス時の駆動制御、シャッター駆動制御、撮影画像の取り込み等を行う。
【００３３】
操作部３は、シャッターボタン等の各種のボタンを有し、その操作信号をＣＰＵ１へ与える。表示部４は、例えば、液晶表示部であり、モニタ画面、ファインダ画面、画像再生画面として使用される。メモリ５は、オペレーティングシステムや各種アプリケーションソフト等が格納されているＲＯＭやワーク用のＲＡＭ等である。このメモリ５内のプログラム記憶領域には、後述する図３〜図５に示す動作手順にしたがって本実施例を実現する為のアプリケーションプログラムが格納され、また、メモリ５内のデータ記憶領域には、後述する図２に示すデータ（撮影スケジュールテーブル等）が格納されている。内部記録部６は、保存画像を格納する内部メモリであり、外部記録媒体７は、ＤＶＤ等の着脱自在な画像記録用の記憶媒体である。通信部８は、広域通信網（移動体通信網、インターネット）を介して撮影画像の無線送信を行う。ＧＰＳ通信部９は、地上系／衛星系の制御局を利用して現在位置を測定する位置測定システムから情報を受信取得するものであり、時計部１０は、現在日時を計時する計時処理を行い、ブザー１１は、各種の警告音を発生出力する。
【００３４】
図２は、撮影スケジュールテーブル１２の内容を示した図である。
この撮影スケジュールテーブル１２は、撮影予定している撮影ポイント毎にその撮影スケジュールを記憶管理するもので、撮影ポイント毎に「撮影ポイントNo」、「撮影時間」、「撮影位置」、「撮影目標枚数」、「撮影済み枚数」の各項目を有し、「撮影ポイントNo」、「撮影済み枚数」以外の「撮影時間」、「撮影位置」、「撮影目標枚数」は、撮影に先立って利用者が任意に登録したものである。
【００３５】
「撮影ポイントNo」は、自動生成された一連番号である。「撮影時間」は、撮影時点を示す情報であり、撮影予定の日時が撮影ポイントとして登録されている。例えば、旅行計画に合わせた撮影スケジュールとして、「撮影時間」を登録する場合には、予め各日時を撮影ポイントとして登録しておけばよい。「撮影位置」は、撮影地点を示す情報であり、経緯度情報、場所情報が撮影ポイントとして登録されている。例えば、旅行計画に合わせた撮影スケジュールとして、「撮影位置」を登録する場合には、施設毎にその場所を示す地点を撮影ポイントとして登録しておけばよい。
【００３６】
なお、撮影ポイントとして「撮影時間」、「撮影位置」の何れか一方を登録するか、両方を登録するかは任意である。例えば、同一の施設内を移動しながら撮影を行う場合には、当該施設を「撮影位置」として登録すると共に、この施設内の行動スケジュールに合わせて複数の「撮影時間」を登録すればよい。
「撮影目標枚数」は、撮影ポイントで予定している撮影枚数の目標値である。「撮影済み枚数」は、撮影ポイントにおいて実際に撮影が行われる毎に更新される実撮影枚数である。
【００３７】
この撮影スケジュールテーブル１２内に各撮影ポイントに対応付けて「撮影時間」、「撮影位置」、「撮影目標枚数」が登録されている状態において、ＣＰＵ１は、ＧＰＳ通信部９によって得られた現在位置、時計部１０によって得られた現在日時を現在のポイントとして取得すると共に、この現在のポイントと撮影スケジュールテーブル１２内に登録されている撮影ポイントとしての「撮影時間」、「撮影位置」とを比較することによって次に撮影すべき撮影ポイントを検索し、この撮影ポイントをガイダンス表示するようにしている。
【００３８】
次に、この第１実施例における画像撮影装置の動作概念を図３および図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードにしたがった動作を逐次実行することもできる。このことは後述する他の実施例においても同様であり、記録媒体の他に、伝送媒体を介して外部供給されたプログラム／データを利用してこの実施例特有の動作を実行することもできる。
【００３９】
図３および図４は、画像撮影装置の全体動作を示したフローチャートである。
先ず、ＣＰＵ１は、ボタン操作の有無をチェックし（ステップＡ１）、何れかのボタンが操作された場合には、その操作ボタンの種類を調べる（ステップＡ２、Ａ３）。ここで、スケジュールボタンが操作された場合には（ステップＡ２でＹＥＳ）、撮影スケジュールテーブル１２への登録処理が開始される。すなわち、「撮影時間」の入力指定を受け付けると共に、「撮影位置」の入力指定を受け付ける（ステップＡ４）。この場合、「撮影位置」の入力指定時においては、ＧＰＳ通信部９を介してネットワーク上から取得した地図情報を表示出力させると共に、この地図上の任意の場所がタッチ指定された際に、この位置情報（経緯度情報）を取得し、この位置情報を「撮影位置」として取り込む。更に、「撮影目標枚数」の入力指定を受け付ける（ステップＡ５）。
【００４０】
このようにして「撮影時間」、「撮影位置」、「撮影目標枚数」が入力指定された場合には、新たなレコードを生成し、入力された「撮影時間」、「撮影位置」、「撮影目標枚数」と、自動生成した「撮影ポイントNo」を当該レコード内の対応項目にセットして撮影スケジュールテーブル１２内に追加登録する（ステップＡ６）。そして、登録終了が指示されたか否かを調べ（ステップＡ７）、終了指示が無ければ、撮影ポイントNoを更新した後にステップＡ４に戻って、以下、上述の登録処理を繰り返す（ステップＡ４〜Ａ７）。
【００４１】
そして、次ポイント優先方法の選択画面を表示出力させる（ステップＡ８）。つまり、次に撮影すべき撮影ポイントを検索する際に、予め設定されているスケジュールの順番通りに次の撮影ポイントを検索する「スケジュール優先」か、現在のポイントに対して距離的、時間的に最も近い撮影ポイントを検索する「ポイント優先」かを選択するための選択画面を表示出力させ、その中から「スケジュール優先」が選択指定された場合には（ステップＡ９でＹＥＳ）、「スケジュール優先モード」にセットするが（ステップＡ１０）、「ポイント優先」が選択指定された場合には（ステップＡ９でＮＯ）、「ポイント優先モード」にセットする（ステップＡ１１）。
【００４２】
一方、シャッターボタンが操作された場合には（ステップＡ３でＹＥＳ）、今回撮影された画像を取得し、画像ファイルとして記録保存した後（ステップＡ１２）、ＧＰＳ通信部９で得られた現在位置、時計部１０で得られた現在日時を取得し（ステップ１３Ａ）、この現在日時、現在位置を現在ポイントとして撮影スケジュールテーブル１２内の撮影ポイントを検索する（ステップＡ１４）。この結果、現在ポイントに一致あるいは近似する撮影ポイントが撮影スケジュールテーブル１２内に登録されているか否かを調べる（ステップＡ１５）。すなわち、現在日時に一致する「撮影時間」が登録されているか、現在位置に一致する「撮影位置」が登録されているかを調べる他に、現在日時が「撮影時間」の前後に該当するか、現在位置が「撮影位置」の近傍に該当するかを調べる。
【００４３】
ここで、該当する撮影ポイントが登録されていなければ（ステップＡ１５でＮＯ）、最初のステップＡ１に戻るが、該当する撮影ポイントが登録されていれば、この撮影ポイントに基づいて撮影スケジュールテーブル１２を検索し、対応する「撮影済み枚数」に“１”を加算してその値を更新すると共に（ステップＡ１６）、当該ポイント対応の「撮影目標枚数」と「撮影済み枚数」とを比較する（ステップＡ１７）。この結果、「撮影済み枚数」が「撮影目標枚数」と等しいかをチェックし（ステップＡ１８）、目標値に達していなければ（ステップＡ１８でＮＯ）、最初のステップＡ１に戻り、以下、シャッターボタンが操作される毎に（ステップ３Ａ）、上述の動作を繰り返す。これによって、目標値に達した場合には（ステップＡ１８でＴＥＳ）、次に撮影すべき撮影ポイントをガイダンス表示する処理に移る。
【００４４】
すなわち、先ず、図４のステップＡ１９において、「スケジュール優先モード」にセットされていることが検出された場合には、撮影スケジュールテーブル１２をアクセスし、現在ポイントの次に登録されている撮影ポイント「撮影時間」、「撮影位置」を検索するが（ステップＡ２０）、「ポイント優先モード」にセットされている場合には（ステップＡ１９でＮＯ）、現在ポイント（現在日時、位置）に近い撮影ポイントを次に撮影すべきポイントとして検索する（ステップＡ２１）。これによって検索された撮影ポイント「撮影時間」、「撮影位置」と、当該ポイントの「撮影目標枚数」を読み出してガイダンス表示させる（ステップＡ２２）。
図５は、次撮影ポイントのガイダンス表示例を示した図であり、この表示画面には、次撮影ポイントの「撮影時間」、「撮影位置」と、「撮影目標枚数」が案内表示され、更に、「ガイドキー」が配置表示される。
【００４５】
この「ガイドキー」は、次撮影ポイントに関する詳細な情報を案内するためのキーであり、この「ガイドキー」が操作された場合には（ステップＡ２３）、現在位置と次撮影ポイントの「撮影位置」とから進むべき方位を決定する（ステップＡ２４）。この場合、例えば、東西南北の１６方位の中から該当する方位を決定するようにしている。次に、現在日時と次撮影ポイントの「撮影時間」とから次ポイントで撮影を開始するまでの残り時間を算出する（ステップＡ２５）。そして、次ポイントへの方位と残り時間とをガイダンス表示させる（ステップＡ２６）。
図６は、次撮影ポイントに関する詳細な情報を案内する表示例を示した図であり、この表示画面には、次ポイントへの方位と残り時間とが案内表示される。
【００４６】
他方、上述した次撮影ポイントのガイダンス画面（図５参照）は、ガイドボタンが操作された場合にも表示される。すなわち、ガイドボタンが操作されたことが図４のステップＡ２７で検出されると、ＧＰＳ通信部９で得られた現在位置、時計部１０で得られた現在日時を取得し（ステップＡ２８）、「スケジュール優先モード」にセットされているかを調べる（ステップＡ２９）。ここで、「ポイント優先モード」にセットされている場合には（ステップＡ２９でＮＯ）、上述の場合と同様、現在ポイントに近い撮影ポイントを次に撮影すべきポイントとして検索して（ステップＡ２１）ガイダンス表示を行うが（ステップＡ２２）、「撮影ポイント優先モード」にセットされている場合には（ステップＡ２９でＹＥＳ）、前回、ガイダンス表示を行った撮影ポイント（直前の撮影ポイント）を読み出し（ステップＡ３０）、この直前ポイントの次に登録されている撮影ポイント「撮影時間」、「撮影位置」を検索して（ステップＡ３１）、ガイダンス表示を行う（ステップＡ２２）。
【００４７】
以上のように、この第１実施例においてＣＰＵ１は、撮影スケジュールテーブル１２が登録されている状態において、ＧＰＳ通信部９から現在位置、時計部１０から現在日時を取得し、この現在位置、現在日時と撮影スケジュールテーブル１２内の撮影ポイント「撮影時間」、「撮影位置」とを比較することによって次に撮影すべき撮影ポイントを検索してガイダンス表示するようにしたから、撮影予定している複数の撮影ポイントを登録しておくだけで、常にタイムリーな撮影補助案内を実現することができ、各撮影ポイントでの撮影忘れを未然に防止することが可能となる。
【００４８】
この場合、予め設定されているスケジュールの順番通りに次の撮影ポイントを検索する「スケジュール優先」、現在のポイントに対して距離的、時間的に最も近い撮影ポイントを検索する「ポイント優先」を任意に選択可能であり、「ポイント優先」が選択された場合には、現在のポイントに最も近い撮影ポイントを次に撮影すべき撮影ポイントとして検索するようにしたから、複数の撮影ポイントを無秩序に登録したとしても、距離的、時間的に最も近い次の撮影ポイントを案内することができる。また、「スケジュール優先」が選択された場合には、現在のポイントに続く撮影ポイントを次に撮影すべき撮影ポイントとして検索するようにしたから、撮影スケジュールにしたがって次に撮影すべき撮影ポイントを案内することができる。
【００４９】
また、次に撮影すべき撮影ポイントと共に、このポイントでの「撮影目標枚数」をガイダンス表示するようにしたから、次の撮影ポイントで撮影すべき枚数を事前に知ることができる。この場合、現在の撮影ポイントでその撮影目標を達成したことが検出された後に、次に撮影すべき撮影ポイントをガイダンス表示するようにしたから、ガイダンスの有無に応じて現在のポイントでの目標達成状況を間接的に知ることができる。
更に、次に撮影すべき撮影ポイントが検索された場合に、現在のポイントと当該次撮影ポイントとを比較することによって、現在ポイントから次撮影ポイントへ向かう「方位」や次ポイントで撮影を開始するまでの「残り時間」をガイダンス表示するようにしたから、撮影作業をスムーズに行うことができる。
【００５０】
なお、上述した第１実施例においては、「撮影位置」の入力指定時において、ＧＰＳ通信部９を介してネットワーク上から取得した地図情報を表示出力させると共に、この地図上の任意の場所がタッチ指定された際に、この位置情報（経緯度情報）を受信取得し、この位置情報を「撮影位置」として取り込むようにしたが、場所の名称や電話番号等を入力することによって位置情報（経緯度情報）を受信取得するようにしてもよい。また、携帯電話にカメラを接続して位置情報を取得するようにしてもよい。
【００５１】
また、上述した第１実施例においては、撮影スケジュールテーブル１２内に各撮影ポイント毎の撮影目標として、「撮影目標枚数」を登録した場合を例示したが、人物、建物等を示す撮影対象（撮影ターゲット）を撮影目標として登録するようにしてもよい。この場合、次の撮影ポイントと共に、その撮影目標としての撮影対象をガイダンス表示するようにしてもよい。
また、「撮影目標枚数」から「撮影済み枚数」を減算して「残り枚数」を求めてガイダンス表示するようにしてもよい。
更に、ガイダンスは、表示に限らず、音声ガイダンスであってもよい。
【００５２】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。すなわち、コンピュータが読み取り可能なプログラムコードを有する記録媒体であって、撮影予定している複数の撮影ポイントを任意に登録する機能と、現在のポイントを取得する機能と、取得した現在のポイントと前記登録されている各撮影ポイントとを比較することによって次に撮影すべき撮影ポイントを検索する機能と、検索された撮影ポイントをガイダンス出力する機能ととを実現させるためのプログラムを記録したコンピュータが読み取り可能な記録媒体を提供するようにしてもよい。
（実施例２）
【００５３】
以下、この発明の第２実施例について図７〜図１２を参照して説明する。
なお、上述した第１実施例においては、現在のポイントを基準に次に撮影すべき撮影ポイントを案内するようにしたが、この第２実施例においては、現在の撮影状況を基準にして次に撮影すべき撮影ポイントを案内すると共に、各撮影ポイント毎にその目標通りの撮影を促すための案内を出力するようにしたものである。
ここで、両実施例において基本的あるいは名称的に同一のものは、同一符号を付して示し、その説明を省略すると共に、以下、第２実施例の特徴部分を中心に説明するものとする。
【００５４】
この第２実施例においては、図示しないが、上述したスケジュールボタン、シャッターボタンの他に、ガイドキー（１）およびガイドキー（２）が設けられている。
このガイドキー（１）は、各撮影ポイント毎の撮影状況に基づいて未撮影ポイントを検索してガイダンス表示させたり、撮影目標に達していない撮影ポイントを検索してガイダンス表示させるためのキーであり、ガイドキー（１）の１回目の押下で未撮影ポイントの案内を行い、２回目の押下で未達成ポイントの案内を行うようにしている。また、ガイドキー（２）は、各撮影ポイント毎の撮影状況として、「撮影目標枚数」と「撮影済み枚数」との比較結果を一覧表示させるためのキーである。
【００５５】
図７〜図９は、第２実施例における画像撮影装置の全体動作を示したフローチャートである。
先ず、ＣＰＵ１は、ボタン操作の有無をチェックし（ステップＢ１）、何れかのボタンが操作された場合には、その操作ボタンの種類を調べる。ここで、スケジュールボタンが操作された場合には（ステップＢ２でＹＥＳ）、上述した第１実施例と同様、撮影スケジュールテーブル１２への登録処理を開始し、「撮影時間」、「撮影位置」の入力指定を受け付けると共に（ステップＢ３）、「撮影目標枚数」の入力指定を受け付ける（ステップＢ３）。これによって入力された「撮影時間」、「撮影位置」、「撮影目標枚数」と、自動生成した「撮影ポイントNo」とを含むレコードを新規生成して撮影スケジュールテーブル１２内に追加登録する（ステップＢ４）。そして、登録終了が指示されたか否かを調べ（ステップＢ５）、終了指示が無ければ、撮影ポイントNoを更新した後にステップＢ３に戻って、以下、上述の登録処理を繰り返す（ステップＢ３〜Ｂ５）。
【００５６】
一方、シャッターボタンが操作された場合には（ステップＢ７でＹＥＳ）、今回撮影された画像を取得して記録保存して後に（ステップＢ８）、ＧＰＳ通信部９で得られた現在位置、時計部１０で得られた現在日時を取得し（ステップＢ９）、この現在日時、現在位置に基づいて撮影スケジュールテーブル１２内の撮影ポイントを検索する（ステップＢ１０）。この結果、現在ポイントに一致あるいは近似する撮影ポイントが撮影スケジュールテーブル１２内に登録されているか否かを調べ（ステップＢ１１）、該当する撮影ポイントが登録されていなければ（ステップＢ１１でＮＯ）、最初のステップＢ１に戻るが、該当する撮影ポイントが登録されていれば（ステップＢ１１でＹＥＳ）、この撮影ポイントに基づいて撮影スケジュールテーブル１２を検索し、対応する「撮影済み枚数」に“１”を加算してその値を更新した後（ステップＢ１２）、最初のステップＢ１に戻る。
【００５７】
また、ガイドキー（１）が操作された場合には（図８のステップＢ１３でＹＥＳ）、撮影スケジュールテーブル１２をアクセスし、各撮影ポイント毎にその「撮影済み枚数」を取得し（ステップＢ１４）、その中に「撮影済み枚数」が“０”の未撮影ポイントが含まれているかを調べる（ステップＢ１５）。いま、未撮影ポイントが無ければ、その旨のガイダンス表示を行うが（ステップＢ１６）、未撮影ポイントが有れば、未撮影ポイントは複数存在しているかを調べる（ステップＢ１７）。ここで、未撮影ポイントが１つであれば、ステップＢ１９に移り、当該未撮影ポイント「撮影時間」、「撮影位置」をガイダンス表示するが、未撮影ポイントが複数存在していれば、複数の未撮影ポイント中から現在ポイントに最も近い未撮影ポイントを選択した後（ステップＢ１８）、当該未撮影ポイント「撮影時間」、「撮影位置」をガイダンス表示する（ステップＢ１９）。
【００５８】
すなわち、未撮影ポイントが複数存在している場合には、ＧＰＳ通信部９で得られた現在位置、時計部１０で得られた現在日時を取得し、この現在日時、現在位置を現在ポイントとして撮影スケジュールテーブル１２内の各撮影ポイントと比較することによって現在ポイントに最も時間的、距離的に近い未撮影ポイントを検索し、これを次撮影ポイントとして選択して（ステップＢ１８）、ガイダンス表示する（ステップＢ１９）。
図１０は、ガイドキー（１）の操作に応じて表示される撮影ガイド（１）画面を示した図であり、この画面には、未撮影ポイントの「撮影時間」、「撮影位置」が案内表示される。
【００５９】
このように未撮影ポイントが案内表示されている状態において、ガイドキー（１）が再度操作されたか否かを調べ（ステップＢ２０）、ガイドキー（１）が再操作されなければ、最初のステップＢ１に戻るが、再操作された場合には、撮影スケジュールテーブル１２をアクセスし、各撮影ポイント毎にその「撮影目標枚数」、「撮影済み枚数」を比較し（ステップＢ２１）、目標未達成の撮影ポイントの存在有無を調べ（ステップＢ２２）、目標未達成ポイントが無ければ、その旨のガイダンス表示を行うが（ステップＢ２３）、目標未達成ポイントが有れば、目標未達成ポイントは複数存在しているかを調べる（ステップＢ２４）。ここで、目標未達成ポイントが１つであれば、ステップＢ２６に移り、当該未撮影ポイントの「撮影時間」、「撮影位置」、「撮影目標枚数」をガイダンス表示する。そして、「撮影目標枚数」から「撮影済み枚数」を減算した残り枚数を「未達成枚数」として求めてガイダンス表示する。
【００６０】
また、目標未達成ポイントが複数存在していれば、この複数の目標未達成ポイントが中から現在ポイントに最も近い目標未達成ポイントを選択した後（ステップＢ２５）、当該目標未達成ポイントの「撮影時間」、「撮影位置」、「撮影目標枚数」、「未達成枚数」をガイダンス表示する（ステップＢ２６）。
図１１は、ガイドキー（１）の再操作に応じて表示される撮影ガイド（１）画面を示した図であり、この画面には、目標未達成ポイントの「撮影位置」、「撮影時間」、「撮影目標枚数」、「未達成枚数」が案内表示される。
【００６１】
他方、ガイドキー（２）が操作された場合には（図９のステップＢ２７でＹＥＳ）、撮影スケジュールテーブル１２をアクセスし、各撮影ポイント毎にその「撮影済み枚数」を取得すると共に（ステップＢ２８）、各撮影ポイント毎にその「撮影目標枚数」と「撮影済み枚数」とを比較し（ステップＢ２９）、各撮影ポイント毎の比較結果（目標との差分）等をガイダンス表示する（ステップＢ３０）。
図１２は、ガイドキー（２）の操作に応じて表示される撮影ガイド（２）画面を示した図であり、この画面には、各撮影ポイント毎にその「撮影位置」、「撮影時間」、「撮影目標枚数」、「差分」が一覧表示される。
【００６２】
以上のように、この第２実施例においてＣＰＵ1は、撮影スケジュールテーブル１２が登録されている状態において、各撮影ポイント毎にその「撮影済み枚数」を取得すると共に、この「撮影済み枚数」に応じて次に撮影すべき撮影ポイントを決定してガイダンス出力するようにしたから、撮影予定している複数の撮影ポイントを登録しておくだけで、現在の撮影状況を基準にして次に撮影すべき撮影ポイントを案内することができ、撮影ポイントでの撮影忘れを未然に防止することが可能となる。
【００６３】
この場合、ガイドキー（１）が操作された際、各撮影ポイント毎の「撮影済み枚数」に基づいて未撮影ポイントを特定し、この未撮影ポイントを次に撮影すべき撮影ポイントとして案内することができる。また、ガイドキー（１）が再操作された際には、各撮影ポイント毎にその「撮影目標枚数」と「撮影済み枚数」とを比較した結果、撮影目標を達成していない目標未達成ポイントを特定し、この目標未達成ポイントを次に撮影すべき撮影ポイントとして案内することができる。
【００６４】
ガイドキー（２）が操作された際には、各撮影ポイント毎にその「撮影済み枚数」を取得すると共に、その「撮影目標枚数」と「撮影済み枚数」との比較結果を撮影ポイント別に一覧表示するようにしたから、各撮影ポイント毎にその目標達成状況を案内することができ、撮影ポイントでの撮影忘れを未然に防止することが可能となる。
【００６５】
なお、上述した第２実施例においては、ガイドキー（１）が操作された際に、未撮影ポイントや目標未達成ポイントを次に撮影すべき撮影ポイントとしてガイダンス表示し、また、ガイドキー（２）が操作された際には、各撮影ポイント毎の目標達成状況をガイダンス表示するようにしたが、これらのガイダンス表示は、定期的あるいは所定のタイミングで自動的に行うようにしてもよい。
【００６６】
一方、コンピュータに対して、上述した各手段を実行させるためのプログラムコードをそれぞれ記録した記録媒体を提供するようにしてもよい。すなわち、コンピュータが読み取り可能なプログラムコードを有する記録媒体であって、とを実現させるためのプログラムを記録したコンピュータが読み取り可能な記録媒体を提供するようにしてもよい。
【００６７】
また、上述した第１および第２実施例は、デジタルスチルカメラ適用した場合を例示したが、静止画に限らず、勿論、ビデオカメラにも基本的には同様に適用可能である。
更に、ハンディタイプのカメラに限らず、設置型の監視カメラ等にも適用可能であると共に、カメラ内臓型の電子機器にも適用可能である。
【図面の簡単な説明】
【００６８】
【図１】画像撮影装置の基本的構成要素を示したブロック図。
【図２】撮影スケジュールテーブル１２の内容を示した図。
【図３】画像撮影装置の全体動作を示したフローチャート。
【図４】図３に続く、画像撮影装置の全体動作を示したフローチャート。
【図５】次撮影ポイントのガイダンス表示例を示した図。
【図６】次撮影ポイントに関する詳細な情報を案内する表示例を示した図。
【図７】第２実施例における画像撮影装置の全体動作を示したフローチャート。
【図８】図７に続く、画像撮影装置の全体動作を示したフローチャート。
【図９】図７および図８に続く、画像撮影装置の全体動作を示したフローチャート。
【図１０】第２実施例において、ガイドキー（１）の操作に応じて表示される撮影ガイド（１）画面を示した図。
【図１１】第２実施例において、ガイドキー（１）の再操作に応じて表示される撮影ガイド（１）画面を示した図。
【図１２】第２実施例において、ガイドキー（２）の操作に応じて表示される撮影ガイド（２）画面を示した図。
【符号の説明】
【００６９】
１  ＣＰＵ
２  カメラ光学系駆動部
３  操作部
４  表示部
５  メモリ
９  ＧＰＳ通信部
１０  時計部
１１  ブザー
１２  撮影スケジュールテーブル
【図１】
2005086236.tif 000003
【図２】
2005086236.tif 000004
【図３】
2005086236.tif 000005
【図４】
2005086236.tif 000006
【図５】
2005086236.tif 000007
【図６】
2005086236.tif 000008
【図７】
2005086236.tif 000009
【図８】
2005086236.tif 000010
【図９】
2005086236.tif 000011
【図１０】
2005086236.tif 000012
【図１１】
2005086236.tif 000013
【図１２】
2005086236.tif 000014